(57)【要約】【課題】取引に使用した携帯電話等に媒体の置き忘れを利用者に確実に報知して、置き忘れを防止する。【解決手段】アンテナを内蔵した読み取り部を備え、該読み取り部上に配置される携帯媒体に内蔵された非接触ＩＣチップからカードデータを読み取ると共に、前記非接触ＩＣチップからの応答の有無に従って前記携帯媒体が前記読み取り部上に存在するか否かを検知する非接触ＩＣリーダ１０９と、紙幣の入出金口を開閉するシャッタと、取引操作の案内を表示すると共に、顧客による取引操作の入力を受け付ける表示入力部１０２と、前記非接触ＩＣリーダ、前記シャッタ、および表示入力部を制御する制御部を備え、該制御部は、前記アンテナを介して前記携帯媒体に内蔵されたＩＣチップからカードデータを読み取ったのちに前記携帯媒体の存在を検知したとき、入出金取引を一時停止する。【選択図】図１
2008129795.tif 000002
【特許請求の範囲】
【請求項１】
アンテナを内蔵した読み取り部を備え、該読み取り部上に配置される携帯媒体に内蔵された非接触ＩＣチップからカードデータを読み取ると共に、前記非接触ＩＣチップからの応答の有無に従って前記携帯媒体が前記読み取り部上に存在するか否かを検知する非接触ＩＣリーダと、
紙幣の入出金口を開閉するシャッタと、
取引操作の案内を表示すると共に、顧客による取引操作の入力を受け付ける表示入力部と、
前記非接触ＩＣリーダ、前記シャッタ、および表示入力部を制御する制御部を備え、
該制御部は、前記アンテナを介して前記携帯媒体に内蔵されたＩＣチップからカードデータを読み取ったのちに前記携帯媒体の存在を検知したとき、入出金取引を一時停止することを特徴とする自動取引装置。
【請求項２】
アンテナを内蔵した読み取り部を紙幣の入出金口を開閉するシャッタ面に備え、読み取り部上に配置される携帯媒体に内蔵された非接触ＩＣチップからカードデータを読み取ると共に、前記非接触ＩＣチップからの応答の有無に従って前記携帯媒体が前記読み取り部上に存在するか否かを検知する非接触ＩＣリーダと、
取引操作の案内を表示すると共に、顧客による取引操作の入力を受け付ける表示入力部と、
前記非接触ＩＣリーダ、前記シャッタ、および表示入力部を制御する制御部を備え、
該制御部は、前記アンテナを介して前記携帯媒体に内蔵されたＩＣチップからカードデータを読み取ったのちに前記携帯媒体の存在を検知したとき、入出金取引を一時停止することを特徴とする自動取引装置。  
【請求項３】
アンテナを内蔵した読み取り部を紙幣の入出金口を開閉するシャッタ面に備え、前記読み取り部上に配置される携帯媒体に内蔵された非接触ＩＣチップからカードデータを読み取ると共に、前記非接触ＩＣチップからの応答の有無に従って前記携帯媒体が前記読み取り部上に存在するか否かを検知する非接触ＩＣリーダと、
顧客の存在を検知する顧客センサと、
取引操作の案内を表示すると共に、顧客による取引操作の入力を受け付ける表示入力部と、
前記非接触ＩＣリーダ、前記シャッタ、および表示入力部を制御する制御部を備え、
該制御部は、前記アンテナを介して前記携帯媒体に内蔵されたＩＣチップからカードデータを読み取ったのちに前記携帯媒体の存在を検知し、前記顧客センサが顧客の存在を検知しないとき、前記シャッタを開放して前記携帯媒体を入出金口に回収することを特徴とする自動取引装置。
【請求項４】
請求項１記載の自動取引装置において、
前記非接触ＩＣリーダは、読み取り部上に載置した携帯媒体の存在を携帯媒体を支持する支持機構の歪みの有無に従って検知する検知機構を備えたことを特徴とする自動取引装置。  
【請求項５】
請求項１記載の自動取引装置において、
前記非接触ＩＣリーダは、ポーリングコマンドを読み取り部上に載置した携帯媒体に対して送信し、該コマンドに対する応答の有無に従って、携帯媒体の有無を検知することを特徴とする自動取引装置。
【請求項６】
請求項１記載の自動取引装置において、  
前記非接触ＩＣリーダは、読み取り部上に載置した携帯媒体の存在を携帯媒体を、支持する支持機構の歪みの有、またはポーリングコマンドに対する応答の有に従って検知することを特徴とする自動取引装置。
【請求項７】
請求項１記載の自動取引装置において、
制御部は、前記アンテナを介して前記携帯媒体に内蔵されたＩＣチップからカードデータを読み取ったのちに前記携帯媒体の存在を検知したとき、携帯媒体の回収を促すメッセージを前記表示入力部に表示することを特徴とする自動取引装置。
【請求項８】
請求項４記載の自動取引装置において、
制御部は、前記検知機構により前記読み取り部上に載置された物体の存在を検知したとき、該物体の回収を促すメッセージを前記表示入力部に表示することを特徴とする自動取引装置。
【請求項９】
請求項６記載の自動取引装置において、
前記制御部は、シャッタの開閉を制御するシャッタ制御部を備え、該制御部は支持する支持機構の歪み無し、かつポーリングコマンドに対する応答無しのとき、前記シャッタを開放することを特徴とする自動取引装置
【請求項１０】
請求項１記載の自動取引装置において、
前記自動取引装置は、携帯媒体を載置する載置台を備え、該載置台の近傍にはフリッカランプを備えたことを特徴とする自動取引装置。
【発明の詳細な説明】
【技術分野】
【０００１】
本発明は、自動取引装置に係り、特にカードデータを格納した携帯媒体を用いて認証を行う自動取引装置に関する。
【背景技術】
【０００２】
近年、携帯電話の機能向上は 目覚しく、例えば、携帯電話に内蔵された非接触ＩＣチップはキャッシュカードとしての機能を持つようになった。このような機能を有する場合においては、例えば、携帯電話を現金自動取引装置の情報読み取り部に近づけてＩＣチップに格納した情報を読取らせることにより、キャッシュカードを持ち歩かなくても 金融取引を実行することのできる技術が普及し始めている。
【０００３】
例えば、特許文献１には、磁気カードリーダー部を介してキャッシュカードからキャッシュカード情報を読み出し、読み出した情報を携帯電話機に内蔵された非接触ＩＣカードに書き込むと、その後は、携帯電話を現金自動取引装置に近づけて口座情報を読み取らせることで、取引を開始できるようにした自動取引装置が示されている。
【０００４】
特許文献２には、携帯電話に、該携帯電話に内蔵されたＩＣチップから自動取引装置（ＡＴＭ）に非接触でデータ転送するデータ転送手段を設け、暗証番号およびＡＴＭにおける金融処理情報を前記ＩＣチップに書き込んだ後、書き込んだ情報をデータ転送手段を介してＡＴＭに転送することにより、ＡＴＭを用いた取引を開始することが示されている。
【０００５】
また、特許文献３には、自動取引装置を用いた取引実行後、非接触通信媒体である取引カードに対する読取りを行ない、取引実行に用いた取引カードが存在する場合には、取引カードの置き忘れがあることを顧客に案内することが示されている。。
【０００６】
特許文献４には、非接触ＩＣカードに基づく証明書発行を行う証明書発行装置において、
前記非接触ＩＣカードから読み取った情報に基づい証明書を発行した後、カードリーダから前記非接触ＩＣカードへの読取り動作を実行し、前記非接触ＩＣカードが所定位置に存在することを検知したとき、非接触ＩＣカードの取り忘れを警告することが示されている。
【発明の開示】
【発明が解決しようとする課題】
【０００７】
前記従来技術によれば、自動取引装置を用いた取引の終了後に、携帯電話、あるいは非接触ＩＣカード等の携帯媒体を置き忘れ（回収忘れ）をしている場合に、そのことを利用者に警告することはできる。 しかし、利用者が前記警告に気づくことなく、立ち去る場合がある。
【０００８】
本発明は、このような問題点に鑑みてなされたもので、取引に使用した媒体の置き忘れを利用者に確実に報知することのできる自動取引装置を提供するものである。
【課題を解決するための手段】
【０００９】
本発明は上記課題を解決するため、次のような手段を採用した。
【００１０】
アンテナを内蔵した読み取り部を備え、該読み取り部上に配置される携帯媒体に内蔵された非接触ＩＣチップからカードデータを読み取ると共に、前記非接触ＩＣチップからの応答の有無に従って前記携帯媒体が前記読み取り部上に存在するか否かを検知する非接触ＩＣリーダと、紙幣の入出金口を開閉するシャッタと、 取引操作の案内を表示すると共に、顧客による取引操作の入力を受け付ける表示入力部と、前記非接触ＩＣリーダ、前記シャッタ、および表示入力部を制御する制御部を備え、該制御部は、前記アンテナを介して前記携帯媒体に内蔵されたＩＣチップからカードデータを読み取ったのちに前記携帯媒体の存在を検知したとき、入出金取引を一時停止する。
【発明の効果】
【００１１】
本発明は、以上の構成を備えるため、取引に使用した媒体の置き忘れを利用者に確実に報知して、置き忘れを防止することができる。
【発明を実施するための最良の形態】
【００１２】
以下、最良の実施形態を添付図面を参照しながら説明する。
【００１３】
［第１の実施形態］  
図１ないし図７を参照して、第１の実施形態を説明する。図１は、本実施形態に係る自動取引装置（ＡＴＭ）１０１の概要を説明する図である。
【００１４】
図１において、１０１は自動取引装置、１０２はタッチパネル等で構成された表示入力部であり、操作案内画面を表示して顧客１２０の入力操作を受け付ける。１０３は硬貨を入出金する硬貨入出金口、１０４は紙幣を入出金する紙幣入出金口、１０５は通帳の受け入れや排出を行う通帳入出口、１０６はカードの受け入れ、排出あるいは取引明細票の排出を行うカードおよび明細票入出口、１０７は顧客センサであり、利用者（顧客）１２０が自動取引装置１０１に近づいたことおよび自動取引装置１０１から離れたたことを検知する。１０８はスピーカであり、取引誘導のための音声ガイダンス、あるいは監視センタから操作を支援する監視員のガイダンス用の音声を出力する。
【００１５】
自動取引装置１０１には、非接触ＩＣチップと近距離通信できる非接触ＩＣリーダ１０９、および生体認証装置としての指静脈リーダ１１１が 実装されている。また、携帯電話１１０には非接触ＩＣチップが内蔵されている。前記非接触ＩＣチップ内には、キャッシュカードデータやクレジットカードデータなどのカードデータが電子化されて格納されている。
【００１６】
利用者１２０は、非接触ＩＣリーダ１０９の上に、ＩＣチップを内蔵した携帯電話１１０あるいは非接触ＩＣカードを近づけることにより、現金の入金出金などの取引を行うことが可能である。指静脈リーダ１１１は、生体認証による本人確認が必要な場合に利用者１２０がかざす指から指静脈を読取り、事前に登録しているデータと照合することにより本人確認を行うことができる。
【００１７】
図２は、図１に示す自動取引装置の機能を説明する図である。自動取引装置１０１は、自動取引装置１０１全体を制御する主制御部２０９、スピーカ１０８、顧客センサ１０７、表示入力部１０２、指静脈リーダ１１１、非接触ＩＣリーダ１０９、キャッシュカードの情報を読み書きするカード取扱機構２０６、明細票の印字処理を行う明細票機構２０７、紙幣の入出金等を処理する紙幣入出金機構２０４、紙幣入出金機構２０４の上部に取り付けられる紙幣入出金口１０４のシャッタ（ふた）を制御するシャッタ制御部２０８、硬貨の入出金等を処理する硬貨入出金機構２０３、および通帳への印字処理を行う通帳機構２０５を備える。
【００１８】
なお、主制御部２０９は、各処理を制御するＣＰＵ２１０、各処理を実行するためのプログラムを記憶するメモリ２１１、ホストやサーバとデータを送受信するための通信部２１２、利用者１２０との取引内容等を逐次記録するハードディスクあるいは光ディスク等からなる記録部２１３を備える。また、主制御部２０９には必要な電力を供給する電源２１４が接続されている。
【００１９】
図３は、図１，２に示す非接触ＩＣリーダ１０９の詳細を説明する図である。非接触ＩＣリーダ１０９の表面には、非接触媒体あるいは非接触媒体を内蔵した携帯電話１１０等の携帯媒体を載置あるいは近づけるための載置台３０３を備える。また、非接触ＩＣリーダ１０９は、アンテナ３０２を内蔵している。該アンテナ３０２は、携帯電話１１０に内蔵された非接触ＩＣチップに接続された内蔵アンテナ３０１と対向して非接触で送受信を行う。
【００２０】
図４は、自動取引装置１０１における取引処理（携帯電話１１０を用いて行う）を説明する図である。
【００２１】
図４において、利用者１２０が自動取引装置１０１の前に近づいてきて、顧客センサ１０７が利用者１２０の存在を検知すると、主制御部２０９は表示入力部１０２に、図５に示す取引選択画面を表示し、該画面の中から利用者１２０に実施したい取引を選択させる（Ｓ４０１）。取引選択画面には、携帯電話１１０による取引メニューである「ケータイ取引（携帯取引）」があり、この例の場合、利用者はこのメニューを選択する（Ｓ４０２）。
【００２２】
前記メニューを選択すると、表示入力部１０２には、図６に示すケータイ取引の選択画面を表示する。利用者１２０はこの例の場合「クレジット借入れ」を選択する（Ｓ４０３）。選択後、表示入力部１０２には、図７に示す携帯電話１１０を非接触ＩＣリーダに近づける（リーダ上にセットする）ことを促すセット案内を表示し（Ｓ４０４）、携帯電話１１０が非接触ＩＣリーダの上に近づけられるのを検知する。携帯電話が近づけられて検知して交信可能になると、前記選択した取引メニューに応じた利用者１２０の口座情報を、携帯電話１１０に内蔵された非接触ＩＣチップから読取る（Ｓ４０５）。
【００２３】
次に、主制御部２０９は表示入力部１０２に、図９に示す暗証番号の入力画面を表示し（Ｓ４０６）、暗証番号入力を促す。さらに、図１０に示す借入れ希望金額の入力画面を表示し（Ｓ４０７）、借入れ金額の入力を促す。
【００２４】
暗証番号および借入れ金額が入力されると、主制御部２０９は、これらの取引情報を通信部２１２を介して金融機関の事務センタに送信する（Ｓ４０８）。事務センタのホストコンピュータは、送信されてきた利用者１２０の口座情報をもとに予め登録された暗証番号を検索し、検索した暗証番号と前記入力された暗証番号と照合する。照合に成功したときは前記借入れ希望金額分の出金を許容する旨、自動取引装置１０１に返信する。これらの処理は中央交信と呼ばれている。なお、このとき、図１１に示す「中央交信中」であることを表す画面を表示する。
【００２５】
次に、主制御部２０９は非接触ＩＣリーダ１０９から携帯電話１１０の非接触ＩＣチップに対してポーリングコマンドを送信し、その応答を監視する（Ｓ４０９）。応答が返ってくる場合は、携帯電話１１０が載置台に置き忘れたままとなっていると判断し、応答がない場合は載置台から回収されたと判断する（Ｓ４１０）。置き忘れたままであると判断した場合、置き忘れ検知タイマをスタートさせる（Ｓ４１１）。そして表示入力部１０２には、図１２に示す携帯電話の回収を促すメッセージ「現金を出金するために、携帯電話をお取り下さい」を表示する。また、スピーカ１０８から、同様なメッセージを音声で発報する（Ｓ４１２）。次に、顧客センサ１０７により利用者１２０が自動取引装置１０１の前から立去ったか否かを判断し（Ｓ４１３）、利用者１２０が立ち去っていない場合は、置き忘れ検知タイマ経過時間を読取り、所定の時間が経過してタイムアウトになっているか否かを判断する（Ｓ４１４）。タイムアウトになっていない場合は、非接触ＩＣリーダ１０９から携帯電話１１０に対してポーリングコマンドを送信し、その応答を監視する（Ｓ４１５）。
【００２６】
応答が返ってくる場合は、携帯電話１１０が置き忘れたままとなっていると判断し、応答が返ってこない場合は取り除かれたことと判断する（Ｓ４１６）。置き忘れたままであると判断した場合は、ステップＳ４１２に戻り、表示入力部１０２あるいはスピーカ１０８から再度携帯電話の回収を促すメッセージを発報する。
【００２７】
なお、ステップＳ４１３において、利用者１２０が自動取引装置１０１の前から立去った（携帯電話１１０を置き忘れたまま利用者１２０が立ち去った）と判断した場合には、自動取引装置１０１による取引を中止した上で（Ｓ４１７）、係員を呼び出して携帯電話１１０の回収を指示する（Ｓ４１８）。
【００２８】
また、ステップＳ４１４において、タイマがタイムアウトすると、タイムアウトが初めてのタイムアウトであるか２回目のタイムアウトであるかを判断し（Ｓ４１９）、初めてのタイムアウトであれば、図１３に示す「取引取消し画面」を表示し、利用者１２０に、取引を最初からやり直すように案内する（Ｓ４２０）。２回目のタイムアウトである場合は自動取引装置１０１による取引を中止した上で（Ｓ４１７）、係員を呼び出して（Ｓ４１８）、利用者１２０に操作を案内するように指示する。
【００２９】
ステップＳ４１０、あるいはＳ４１６において、携帯電話１１０が載置台から回収されたと判断した場合は、明細票印字機構２０７により取引内容を印字した明細票をカードおよび明細票入出口１０６から排出する（Ｓ４２１）。また、紙幣入出金機構２０４は出金動作を開始し、借入れ希望金額分の紙幣を繰り出し、紙幣入出金口１０４から排出する（Ｓ４２２）。利用者１２０がそれらを受け取って、自動取引装置１０１から離れたことを顧客センサ１０７が確認すると、取引は終了する。
【００３０】
［第２の実施形態］
第１の実施形態においては、中央交信の終了後（すなわち、図４に示す点（Ｂ））から携帯電話１１０の置き忘れ検知を開始した。これに対して本実施形態では、非接触ＩＣチップから利用者１２０の口座情報を読み取り後（すなわち、図４に示す点（Ａ））から携帯電話１１０の置き忘れ検知を開始する。
【００３１】
図８は、本実施形態にかかる自動取引装置１０１における取引処理（口座情報読取り後（Ａ）から中央交信終了後（Ｂ）まで）を説明する図である。
【００３２】
図８において、非接触ＩＣチップから利用者１２０の口座情報読み取り後（Ａ）、主制御部２０９は非接触ＩＣリーダ１０９から携帯電話１１０に対してポーリングコマンドを送信してその応答を監視し（Ｓ８０１）、携帯電話１１０が置き忘れたままとなっているか否かを検出する（Ｓ８０２）。携帯電話１１０が置き忘れたままとなっている場合は、置き忘れ検知タイマをスタートさせた上で（Ｓ８０３）、図９に示す通常の暗証番号入力案内の画面内に、「携帯電話をお取り下さい」の警告表示を付加する準備を行う（Ｓ８０４）。そして、図９に示す暗証番号入力案内の画面を表示して、暗証番号入力を促す（Ｓ８０５）。
【００３３】
利用者１２０が暗証番号の入力を終ると、非接触ＩＣリーダ１０９から携帯電話１１０に対してポーリングコマンドを送信し、その応答を監視する（Ｓ８０６）。応答が返ってくれば、携帯電話１１０が置き忘れたままとなっており、応答がなければ携帯電話が回収されたと判断する（Ｓ８０７）。応答が返ってくれば、図１０に示す、通常の借入れ金額の入力案内の画面内に、「携帯電話をお取り下さい」の警告表示を付加する準備を行う（Ｓ８０８）。そして、図１０に示す借入れ金額の入力案内の画面を表示する（Ｓ８０９）。
【００３４】
利用者１２０が借入れ金額の入力を終ると、非接触ＩＣリーダ１０９から携帯電話１１０に対してポーリングコマンドを送信し、その応答を監視する（Ｓ８１０）。応答が返ってくれば、携帯電話１１０が置き忘れたままとなっており、応答がなければ携帯電話が回収された判断する（Ｓ８１１）。応答が返ってくれば、置き忘れたままと判断して、図１１に示す通常の「しばらくお待ち下さい（中央交信中）」の案内画面内に、「携帯電話をお取り下さい」の警告表示を付加する準備を行う（Ｓ８１２）。暗証番号と借入れ金額が入力されると、主制御部２０９は、図１１に示す「しばらくお待ち下さい（中央交信中）」の案内の画面を表示するとともに、通信部２１２を用いて金融機関の事務センタに、これらの取引情報を送信する（Ｓ８１３）。センタへの送信が終ると、非接触ＩＣリーダ１０９から携帯電話１１０に対してポーリングコマンドを送信し、その応答を監視する（Ｓ８１４）。応答が返ってくれば、携帯電話１１０が置き忘れたままとなっており、応答なければ携帯電話は取り除かれた判断する（Ｓ８１５）。応答が返ってくれば、置き忘れたままと判断し、図１１に示す「携帯電話をお取り下さい」の警告表示を付加した「しばらくお待ち下さい（中央交信中）」の案内の画面を表示する（Ｓ８１６）。そして、置き忘れ検知タイマを読み取り、所定時間が経過してタイムアウトになっているか否かを判定する（Ｓ８１７）。所定時間以内なら、Ｓ８１４に戻って非接触ＩＣリーダ１０９から携帯電話１１０に対してポーリングコマンドを送信し、以下繰り返しとなる。
【００３５】
ステップＳ８１７でタイムアウトになっていると判断した場合は、携帯電話を置き忘れているため、図１２に示す「現金を出金するので、携帯電話をお取り下さい」の警告表示を行い、スピーカ１０８からも同様の音声ガイダンスを行う（Ｓ８１８）。
【００３６】
以上の例では、携帯電話１１０の置き忘れ警告に際して、図９から図１１に示すように「携帯電話をお取り下さい」の表示を通常の案内画面内に付加して表示するのみであるが、図３に示す非接触ＩＣリーダ１０９の置き台３０３などにフリッカランプを取り付けておき、携帯電話１１０が置き忘れている場合はフリッカランプを点滅させて、置き忘れをより目視確認し易くしてもよい。
【００３７】
［第３の実施形態］
非接触ＩＣリーダ１０９と携帯電話１１０に内蔵した非接触ＩＣチップ間で良好な交信を維持するには、非接触ＩＣリーダ１０９の内蔵アンテナ３０１と非接触ＩＣリーダ１０９のアンテナ３０１と平行して対向し、かつ中心軸を一致させてある距離範囲内（約２０ｍｍ以内）に接近させる必要がある。ところが、図１４に示すように携帯電話１１０が置き台３０３の隅に配置されたり、中心軸がずれて配置された場合には交信ができない。このような場合には、非接触ＩＣリーダ１０９から携帯電話１１０に対してポーリングコマンドを送信しても、その応答を検知することはできず、携帯電話１１０の置き忘れを検知することができない。
【００３８】
本実施形態は、載置台３０３の下にバネ１４０１を取り付け、載置台３０３を上下に移動可能に構成する。また、載置台３０３の端部を折り曲げて検知切片１４０２を形成する。さらに、この検知切片１４０２を挟むように置き忘れ検知センサ１４０３を取り付ける。  前記載置台３０３上に非接触式ＩＣカードあるいは携帯電話１１０等の非接触式媒体が置かれると、その自重により載置台は降下する。この降下を置き忘れ検知センサ１４０３で検知することにより、置き忘れをより確実に検知することができる。
【００３９】
図１５は、置き忘れ検知センサ１４０３により携帯電話１１０の置き忘れを検知（口座情報読取り後（Ａ）から中央交信（Ｂ）までの間で行う）する例を説明する図である。
【００４０】
図１５において、口座情報読取り後（Ａ）、主制御部２０９は置き忘れ検知センサ１４０３の出力を読み取る（Ｓ１５０１）。置き忘れ検知センサ１４０３が非接触ＩＣリーダ１０９の載置台３０３の上に物ありを検知すると（Ｓ１５０２）、置き忘れ検知タイマをスタートさせた上で（Ｓ１５０３）、図１６に示す通常の暗証番号入力案内の画面内に、「非接触ＩＣリーダの上の物をお取り下さい」の警告表示を付加する準備を行う（Ｓ１５０４）。そして、図１６に示す暗証番号入力案内の画面を表示して、暗証番号の入力を促す（Ｓ１５０５）。利用者１２０が暗証番号の入力を終ると、置き忘れ検知センサ１４０３の出力を読み取る（Ｓ１５０６）。非接触ＩＣリーダ１０９の上に物ありを確認すると（Ｓ１５０７）、図１７に示す通常の借入れ金額の入力案内の画面内に、「非接触ＩＣリーダの上の物をお取り下さい」の警告表示を付加する準備を行う（Ｓ１５０８）。そして、図１７に示す借入れ金額の入力案内の画面を表示する（Ｓ１５０９）。
【００４１】
利用者１２０が借入れ金額の入力を終ると、置き忘れ検知センサ１４０３の出力を読み取る（Ｓ１５１０）。非接触ＩＣリーダ１０９の上に物ありを確認すると（Ｓ１５１１）、図１８に示す通常の「しばらくお待ち下さい（中央交信中）」の案内の画面内に、「非接触ＩＣリーダの上の物をお取り下さい」の警告表示を付加する準備を行う（Ｓ１５１２）。暗証番号と借入れ金額が入力されると、主制御部２０９は図１８に示す「しばらくお待ち下さい（中央交信中）」の案内の画面を表示するとともに、通信部２１２を用いて金融機関の事務センタに、これらの取引情報を送信する（Ｓ１５１３）。センタへの送信が終ると、置き忘れ検知センサ１４０３の出力を読み取る（Ｓ１５１４）。非接触ＩＣリーダ１０９の上に物ありを確認すると（Ｓ１５１５）、図１８に示す「非接触ＩＣリーダの上の物をお取り下さい」の警告表示を付加した「しばらくお待ち下さい（中央交信中）」の案内の画面を再表示する（Ｓ１５１６）。そして、置き忘れ検知タイマを読み取り、所定の時間が経過してタイムアウトになっているか否かを判断する（Ｓ１５１７）。タイムアウトになっていない場合は、ステップＳ１５１４に戻って置き忘れ検知センサ１４０３の出力を読み取り、以下繰り返しとなる。ステップＳ１５１７においてタイムアウトになっている場合は、「現金を出金するために、非接触ＩＣリーダの上の物をお取り下さい」の警告表示を行い、スピーカ１０８からも同様の音声ガイダンスを行う（Ｓ１５１８）。
【００４２】
［第４の実施形態］
図２０は、非接触ＩＣリーダ１０９と置き忘れ検知センサ１４０３との両者により、携帯電話１１０の置き忘れを検知（口座情報読取り後（Ａ）から中央交信（Ｂ）までの間で行う）する例を説明する図である。
【００４３】
図２０において、口座情報読取り後（Ａ）、主制御部２０９は非接触ＩＣリーダ１０９から携帯電話１１０に対してポーリングコマンドを送信し、応答を監視する（Ｓ２００１）。応答が返ってくれば、携帯電話１１０が置き忘れとなっていると判断し（Ｓ２００２）、置き忘れ検知タイマをスタートさせた上で（Ｓ２００３）、図１６に示す通常の暗証番号入力案内の画面内に、「非接触ＩＣリーダの上の物をお取り下さい」の警告表示を付加する準備を行う（Ｓ２００４）。前記非接触ＩＣリーダ１０９からのポーリングコマンドに対する応答がない場合においても、念のため、置き忘れ検知センサ１４０３の出力を読み取る（Ｓ２００５）。置き忘れ検知センサ１４０３が非接触ＩＣリーダ１０９の載置台３０３上に物ありを検知すると（Ｓ２００６）、置き忘れ検知タイマをスタートさせた上で（Ｓ２００３）、図１６に示す通常の暗証番号入力案内の画面内に、「非接触ＩＣリーダの上の物をお取り下さい」の警告表示を付加する準備を行う（Ｓ２００４）。そして、図１６に示す暗証番号入力案内の画面を表示して、暗証番号の入力を促す（Ｓ２００７）。
【００４４】
利用者１２０が暗証番号の入力を終ると、非接触ＩＣリーダ１０９から携帯電話１１０に対してポーリングコマンドを送信する（Ｓ２００８）。ポーリングコマンドに対する応答が返ってくれば、図１７に示す通常の借入れ金額の入力案内の画面内に、「非接触ＩＣリーダの上の物をお取り下さい」の警告表示を付加する準備を行う（Ｓ２０１０）。前記ポーリングコマンドに対する応答がない場合においても、念のため置き忘れ検知センサ１４０３の出力を読み取る（Ｓ２０１１）。置き忘れ検知センサ１４０３が非接触ＩＣリーダ１０９の載置台３０３の上に物ありを検知すると（Ｓ２０１２）、図１７に示す通常の借入れ金額の入力案内の画面内に、「非接触ＩＣリーダの上の物をお取り下さい」の警告表示を付加する準備を行う（Ｓ２０１０）。そして、図１７に示す借入れ金額の入力案内の画面を表示する（Ｓ２０１３）。
【００４５】
利用者１２０が借入れ金額の入力を終ると、非接触ＩＣリーダ１０９から携帯電話１１０に対してポーリングコマンドを送信してその応答を監視し、携帯電話１１０が置き忘れたままになっているか否かを判断する（Ｓ２０１４）。非接触ＩＣリーダ１０９の上に物ありを判断すると（Ｓ２０１５）、図１８に示す通常の「しばらくお待ち下さい（中央交信中）」の画面内に、「非接触ＩＣリーダの上の物をお取り下さい」の警告表示を付加する準備を行う（Ｓ２０１６）。非接触ＩＣリーダ１０９は前記応答がなくても、念のため置き忘れ検知センサ１４０３の出力を読み取る（Ｓ２０１７）。置き忘れ検知センサ１４０３が非接触ＩＣリーダ１０９の載置台３０３の上に物ありを検知すると（Ｓ２０１８）、図１８に示す通常の「しばらくお待ち下さい（中央交信中）」の画面内に、「非接触ＩＣリーダの上の物をお取り下さい」の警告表示を付加する準備を行う（Ｓ２０１６）。暗証番号と借入れ金額が入力されると、主制御部２０９は図１８に示す、「しばらくお待ち下さい（中央交信中）」の画面を表示するとともに、通信部２１２を用いて金融機関の事務センタに、これらの取引情報を送信する（Ｓ２０１９）。
【００４６】
センタへの送信が終ると、非接触ＩＣリーダ１０９から携帯電話１１０に対してポーリングコマンドを送信して、その応答を監視し（Ｓ２０２０）、携帯電話１１０が置き忘れたままになっていると判断すると（Ｓ２０２１）、図１８に示す「非接触ＩＣリーダの上の物をお取り下さい」の警告表示を付加した「しばらくお待ち下さい（中央交信中）」の画面を再表示する（Ｓ２０２２）。次に置き忘れ検知タイマを読み取り、所定の時間が経過してタイムアウトになっているか否かを判断する（Ｓ２０２３）。タイムアウトになっていなければ、Ｓ２０２０に戻って、以下繰り返しとなる。ステップＳ２０２３でタイムアウトになっている場合は、図１９に示す非接触ＩＣリーダ１０９に物を置き忘れているため、「現金を出金するために、非接触ＩＣリーダの上の物をお取り下さい」と警告表示を行い、スピーカ１０８からも同様の音声ガイダンスを行う（Ｓ２０２４）。ステップＳ２０２１で非接触ＩＣリーダ１０９が応答を検知しない場合においても、念のため、置き忘れ検知センサ１４０３の出力を読み取る（Ｓ２０２５）。置き忘れ検知センサ１４０３が非接触ＩＣリーダ１０９の載置台３０３の上に物ありを確認すると（Ｓ２０２６）、図１８に示す、「非接触ＩＣリーダの上の物をお取り下さい」の警告表示を付加した「しばらくお待ち下さい（中央交信中）」の画面を再表示する（Ｓ２０２２）。
【００４７】
［第５の実施形態］
図２１は、非接触ＩＣリーダ１０９と置き忘れ検知センサ１４０３との両者により、携帯電話１１０の置き忘れを検知（中央交信（Ｂ）以降に行う）する例を説明する図である。
【００４８】
図２１において、主制御部２０９は非接触ＩＣリーダ１０９から携帯電話１１０に対してポーリングコマンドを送信し、応答を監視する（Ｓ２１０１）。応答が返ってくれば、携帯電話１１０が置き忘れたままとなっており、応答がなければ回収されたと判断する（Ｓ２１０２）。携帯電話１１０が置き忘れたままとなっている場合は、置き忘れ検知タイマをスタートさせる（Ｓ２１０３）。非接触ＩＣリーダ１０９から携帯電話１１０の置き忘れが確認できなくても、念のため置き忘れ検知センサ１４０３の出力を読取り（Ｓ２１０４）、置き忘れ検知センサ１４０３が非接触ＩＣリーダ１０９の載置台３０３の上に物があるか否かを判断する（Ｓ２１０５）。
【００４９】
携帯電話１１０が置き忘れたままとなっていると判断した場合は、置き忘れ検知タイマをスタートさせる（Ｓ２１０３）。そして表示入力部１０２には図１９に示す「現金を出金するために、非接触ＩＣリーダの上にある物をお取り下さい」の画面を表示し、スピーカ１０８からは同様な音声ガイダンスで、利用者１２０に警告を発する（Ｓ２１０６）。顧客センサ１０７により利用者１２０が自動取引装置１０１の前から立去ったか否かを検知する（Ｓ２１０７）。利用者１２０の存在を検知すると、置き忘れ検知タイマを読取り、所定の時間が経過してタイムアウトになっているか否かを検知する（Ｓ２１０８）。タイムアウトになっていない場合には、非接触ＩＣリーダ１０９から携帯電話１１０に対してポーリングコマンドを送信し、その応答を監視する（Ｓ２１０９）。応答が返ってくれば、携帯電話１１０が置き忘れたままとなっており、応答がなければ回収されたと判断する（Ｓ２１１０）。置き忘れたままであるなら、Ｓ２１０６に戻り、表示入力部１０２あるいはスピーカ１０８から図１９の「現金を出金するために、非接触ＩＣリーダの上にある物をお取り下さい」と再度ガイダンスして、利用者１２０に警告を発する。非接触ＩＣリーダ１０９により携帯電話１１０の置き忘れが確認できなくても、念のため置き忘れ検知センサ１４０３の出力を読取る（Ｓ２１１１）。置き忘れ検知センサ１４０３が非接触ＩＣリーダ１０９の載置台３０３の上に物ありを検知したか否かを判断し（Ｓ２１１２）、検知した場合には、ステップＳ２１０６に戻る。以下にこの繰り返しの中で、利用者１２０が携帯電話１１０を回収するのを待つ。ステップＳ２１０８で所定の時間が経過してタイムアウトになると、タイムアウトになったのが初めてであるか、２回目であるかを判断し（Ｓ２１１３）、初めてである場合は図１３に示す「取引取消し画面」を表示し、利用者１２０に最初からやり直すように案内する（Ｓ２１１４）。２回目である場合は自動取引装置１０１を取引中止とした上で（Ｓ２１１５）、係員を呼び出して利用者１２０の操作を案内させる（Ｓ２１１６）。ステップＳ２１０７において、携帯電話１１０を置き忘れたまま利用者１２０が立ち去ってしまった場合には、自動取引装置１０１を取引中止とした上で（Ｓ２１１５）、係員に通報して携帯電話１１０の回収を指示する（Ｓ２１１６）。
【００５０】
［第６の実施形態］
図２２は、紙幣入出金機構２０４の紙幣入出金口１０４を説明する図である。紙幣入出金口１０４には、シャッタ（ふた）２２０１が取付けられている。シャッタ２２０１は、常時はシャッタ・ロック２２０２と係合して、こじ開けられないようにロックされている。シャッタを開く際にはシャッタ・ロック解除ソレノイド２２０３に給電してシャッタ・ロック２２０２を下方に吸引し、ロックを解除した上で、シャッタモータ２２０４を駆動して、シャッタ２２０１を開く。これらのシャッタ開閉動作は図２に示すシャッタ制御部２０８により制御される。
【００５１】
図２３は、シャッタ制御部２０８の制御回路を説明する図である。シャッタ・ロック解除ソレノイド２２０３の解除信号は、非接触ＩＣリーダ１０９からの携帯電話１１０無し信号１と置き忘れ検知センサ１４０３からの携帯電話１１０無し信号２の双方が存在するという条件で有効となり、ロックが解除されてシャッタを開くことができる。
【００５２】
図２４は、非接触ＩＣリーダ１０９を、紙幣入出金口１０４のシャッタ２２０１に取付けた例を説明する図である。この例では、紙幣入出金口１０４のシャッタ２２０１が非接触ＩＣリーダ１０９の載置台となっている。図１に示す例とは、利用者１２０が携帯電話１１０をシャッタ２２０１の上に近づけることになる点で異なる。
【００５３】
図２５は、非接触ＩＣリーダ１０９を紙幣入出金口１０４のシャッタ２２０１に取付けた場合における取引処理（中央交信（Ｂ）以降）を説明する図である。
【００５４】
図２５において、主制御部２０９は非接触ＩＣリーダ１０９から携帯電話１１０に対してポーリングコマンドを送信し（Ｓ２５０１）、応答が返ってくれば、携帯電話１１０が置き忘れたままとなっており、応答がなければ回収されたと判断する（Ｓ２５０２）。携帯電話１１０が置き忘れたままとなっている場合には、置き忘れ検知タイマをスタートさせる（Ｓ２５０３）。そして表示入力部１０２には、図１９に示す「現金を出金するために、非接触ＩＣリーダの上にある物をお取り下さい」の画面を表示し、スピーカ１０８からは同様な音声ガイダンスで利用者１２０に警告を発する（Ｓ２５０４）。そして顧客センサ１０７により利用者１２０が自動取引装置１０１の前から立去ったか否かを検知する（Ｓ２５０５）。次に置き忘れ検知タイマを読み取り、所定の時間が経過してタイムアウトになったか否かを判断する（Ｓ２５０６）。タイムアウトになっていない場合は、非接触ＩＣリーダ１０９から携帯電話１１０に対してポーリングコマンドを送信し、その応答を監視する（Ｓ２５０７）。応答が返ってくれば、携帯電話１１０が置き忘れたままとなっており、応答がなければ回収されたと判断する（Ｓ２５０８）。置き忘れたままであると判断した場合は、ステップＳ２５０４に戻り、表示入力部１０２やスピーカ１０８から図１９の「現金を出金するために、非接触ＩＣリーダの上にある物をお取り下さい」を再度ガイダンスして、利用者１２０に警告を発する。以下にこの繰り替えしの中で、利用者１２０が携帯電話１１０を回収するのを待つ。ステップＳ２５０６において所定の時間が経過してタイムアウトになると、初めてのタイムアウトであるか２回目のタイムアウトであるかを判断し（Ｓ２５０９）、初めてのタイムアウトであれば、図１３に示す「取引取消し画面」を表示し、利用者１２０に最初からやり直すように案内する（Ｓ２５１０）。
【００５５】
ステップＳ２５０５において、携帯電話１１０を置き忘れたまま利用者１２０が立ち去った場合には、自動取引装置１０１は「取引中止」を表示する（Ｓ２５１１）。また、主制御部２０９はシャッタ制御部２０８に対して携帯電話１１０の回収指示を発行する（Ｓ２５１２）。この場合、主制御部は、図２６に示すように、紙幣入出金口１０４のシャッタ２２０１を開いて、携帯電話１１０を紙幣入出金口に落下させて回収し（Ｓ２５１３）、回収が終わるとシャッタ２２０１を閉じる（Ｓ２５１４）。
【００５６】
図２７は、非接触ＩＣリーダ１０９を、紙幣入出金口１０４のシャッタ２２０１に取付けた場合におけるシャッタ制御部２０８の制御回路を説明する図である。シャッタ・ロック解除ソレノイド２２０３の解除信号は、非接触ＩＣリーダ１０９からの携帯電話１１０なし信号１がない、すなわち携帯電話１１０置き忘れている場合で携帯電話の回収信号があった場合に有効となる排他論理に接続されている。紙幣入出金口に回収した携帯電話は、その後、係員に通報して回収を依頼する（Ｓ２５１５）。ステップＳ２５０９において、２回目のタイムアウトであると判断した場合には、係員を呼び出して利用者１２０に操作を案内させる（Ｓ２５１５）。
【００５７】
［第７の実施形態］
以上、自動取引装置の処理を携帯電話１１０を用いた「クレジット借入れ」という出金取引を例に説明したが、本実施形態では「クレジット返済」という入金取引を例に自動取引装置の処理を説明する。
【００５８】
図２８は、自動取引装置１０１における出金取引処理（携帯電話１１０を用いて行う）を説明する図である。 図２８において、利用者１２０が自動取引装置１０１の前へ近づいてきて、顧客センサ１０７が利用者１２０の存在を検知すると、主制御部２０９は表示入力部１０２に、図５に示す取引選択画面を表示し、利用者１２０にこれらの中から実施したい取引を選択させる（Ｓ２８０１）。取引選択画面には、携帯電話１１０による取引メニュー「ケータイ取引」があり、この例の場合、「ケータイ取引」を選択する（Ｓ２８０２）。表示入力部１０２には、図６に示す「ケータイ取引」および「クレジット返済」の選択画面を表示する。この例の場合、利用者１２０は「クレジット返済」を選択する（Ｓ２８０３）。選択した後、表示入力部１０２には、図７に示す携帯電話１１０のセット案内を表示し（Ｓ２８０４）、携帯電話１１０が非接触ＩＣリーダの上に近づけられるのを検知する。近づけられたのを検知して交信可能になると、携帯電話１１０に内蔵された非接触ＩＣチップから前記選択した種別に応じた利用者１２０の口座情報を読取る（Ｓ２８０５）。
【００５９】
次に、主制御部２０９は非接触ＩＣリーダ１０９から携帯電話１１０に対してポーリングコマンドを送信して、その応答を監視し（Ｓ２８０６）、携帯電話１１０が置き忘れたままになっているか否かを判断する（Ｓ２８０７）。携帯電話１１０が置き忘れたままとなっていると判断した場合には、置き忘れ検知タイマをスタートさせた上で（Ｓ２８０８）、図９に示す通常の暗証番号入力案内の画面内に、「携帯電話をお取り下さい」の警告表示を付加する準備を行う（Ｓ２８０９）。そして、図９に示す暗証番号入力案内の画面を表示して、暗証番号の入力を促す（Ｓ２８１０）。
【００６０】
利用者１２０が暗証番号の入力を終ると、非接触ＩＣリーダ１０９から携帯電話１１０に対してポーリングコマンドを送信し、その応答を監視する（Ｓ２８１１）。応答が返ってくれば、携帯電話１１０が置き忘れたままとなっていると判断し、応答がなければ回収されたと判断する（Ｓ２８１２）。応答が返ってきた場合は、携帯電話１１０が置き忘れたままであるから、表示入力部１０２に、図２９に示す「現金を入金するために、非接触ＩＣリーダの上にある物をお取り下さい」の画面を表示し、スピーカ１０８からは同様な音声ガイダンスで、利用者１２０に警告を発する（Ｓ２８１３）。そして、顧客センサ１０７により利用者１２０が自動取引装置１０１の前から立去ったか否かを判断する（Ｓ２８１４）。次に置き忘れ検知タイマを読み取り、所定の時間が経過してタイムアウトになったか否かを判断する（Ｓ２８１５）。タイムアウトになっていない場合は、非接触ＩＣリーダ１０９から携帯電話１１０に対してポーリングコマンドを送信し、その応答を監視する（Ｓ２８１６）。応答が返ってくれば、携帯電話１１０が置き忘れたままとなっており、応答がなければ回収されたと判断する（Ｓ２８１７）。置き忘れたままであるなら、Ｓ２８１３に戻り、表示入力部１０２あるいはスピーカ１０８から図２９の「現金を入金するために、非接触ＩＣリーダの上にある物をお取り下さい」と再度ガイダンスして、利用者１２０に警告を発する。以下にこの繰り替えしの中で、利用者１２０が携帯電話１１０を手元に戻すことを待つが、Ｓ２８１５で所定の時間が経過してタイムアウトになると、タイムアウトが、初めてのタイムアウトか２回目のタイムアウトかを判断する（Ｓ２８１８）。初めてのタイムアウトであれば、図１３に示す「取引取消し画面」を表示し、利用者１２０に最初からやり直すように案内する（Ｓ２８１９）。
【００６１】
ステップＳ２８１４において、携帯電話１１０を置き忘れたまま利用者１２０が立ち去った場合には、自動取引装置１０１は「取引中止」を表示して（Ｓ２８２０）、主制御部２０９はシャッタ制御部２０８に対して携帯電話１１０の回収指示を発行する（Ｓ２８２１）。この場合、シャッタ制御部２０８は、図２６に示すように、紙幣入出金口１０４のシャッタ２２０１を開いて、携帯電話１１０を落下させて回収し（Ｓ２８２２）、回収し終わるとシャッタ２２０１を閉じる（Ｓ２８２３）。この後、係員に通報して携帯電話１１０を回収を指示する（Ｓ２８２４）。ステップＳ２８１５において、タイムアウトが２回目であると判断した場合は、係員を呼び出して利用者１２０に操作を案内させる（Ｓ２８２４）。
【００６２】
携帯電話１１０が非接触ＩＣリーダ１０９から回収されると、図３０に示す入金案内を表示して、紙幣入出金口１０４のシャッタ２２０１を開く。利用者１２０が紙幣を挿入すると紙幣を繰り出しながら計数する（Ｓ２８２５）。計数が終ると、その金額を表示して利用者１２０に確認を促す（Ｓ２８２６）。暗証番号の入力と金額の確認が終ると、主制御部２０９は通信部２１２を用いて金融機関の事務センタに、これらの取引情報を送信する（中央交信）。事務センタのホストコンピュータは送信されてきた利用者１２０の口座情報から予め登録された暗証番号と照合し、照合されれば返済金額分の入金処理を行った上で、自動取引装置１０１に返信する（Ｓ２８２７）。自動取引装置１０１は明細票印字機構２０７により取引内容を印字された明細票を、カードおよび明細票入出口１０６から排出する（Ｓ２８２８）。利用者１２０が明細票を受け取って、自動取引装置１０１から離れたことを顧客センサ１０７が確認すると、取引は終了する。
【００６３】
なお、図２８では、顧客センサ１０７による利用者１２０の立去りを、暗証番号が入力された以降からとしているが、利用者情報読取り後でも良いし、更には利用者１２０が自動取引装置１０１に前に立った時から常時監視してもよい。
【００６４】
また、以上の説明では、携帯電話に内蔵した非接触ＩＣチップを非接触ＩＣリーダ１０９に近づけて非接触ＩＣチップから利用者１２０の口座情報を読み取り終ると、携帯電話１１０は非接触ＩＣリーダ１０９から利用者１２０の手元に戻すことを前提に説明したが、取引によっては再度非接触ＩＣチップから利用者１２０の別の口座情報を読み取る場合もある。これらの場合は非接触ＩＣチップからの読取りが全て終了してから、置き忘れを監視すればよい。
【００６５】
以上説明したように、本実施形態によれば、
（１）現金自動取引装置において、口座情報の読み取り後から取引が終了するまでの間、非接触式ＩＣカードを内蔵する携帯電話あるいは非接触式ＩＣカード等の携帯媒体がＩＣリーダ等の情報読み取り部の上に載置されたままになっているか否かを検知し、載置されたままである（置き忘れ）場合には、回収するように警告を文字表示、音声表示、あるいはフリッカ表示を用いて発報することができる。
【００６６】
（２）置き忘れの場合は、警告を発するほか、入出金口のシャッタ（ふた）をロックして、現金の出し入れを禁止することにより、前記置き忘れを利用者に確実に気付かせることができる。
【００６７】
（３）入出金口のシャッタ（ふた）に非接触式ＩＣ情報読み取り部のアンテナ部を取付け、該アンテナ部を取付けた入出金口のシャッタ（ふた）を携帯電話あるいは非接触式ＩＣカードの載置台とする。これにより、利用者に入出金口のシャッタ（ふた）が開かない原因を携帯電話等の置き忘れとして知らせることができる。
【００６８】
（４）携帯電話等を置き忘れたまま利用者が立ち去ってしまった場合には、紙幣入出金口のシャッタ（ふた）を開いて、携帯電話等を紙幣入出金機構内に回収する。これにより携帯電話等の紛失を確実防止することができる。
【００６９】
このように、携帯媒体から口座情報を読み取った後に、携帯媒体を前記情報読み取り部上に置き忘れていると、通常の出金あるいは入金処理と並行して表示画面あるいは音声で、携帯媒体の置き忘れをガイダンスして、現金の出し入れ前の段階までに、回収されるように利用者を促す。また、前記携帯媒体を置き忘れたまま利用者が立ち去ってしまった場合には、紙幣入出金口のシャッタ（ふた）を開いて、携帯電話等を紙幣入出金機構内に回収する。
【００７０】
このため、置き忘れによる携帯媒体の紛失を確実に抑制することができる。
【図面の簡単な説明】
【００７１】
【図１】自動取引装置の概要を説明する図である。
【図２】図１に示す自動取引装置の詳細を説明する図である。
【図３】非接触ＩＣリーダの詳細を説明する図である。
【図４】自動取引装置における取引処理を説明する図である。
【図５】取引選択画面を示す図である。
【図６】携帯取引の選択画面を示す図である。
【図７】携帯電話をＩＣリーダ上にセットすることを案内する画面を示す図である。
【図８】自動取引装置における取引処理を説明する図である。
【図９】暗証番号の入力画面を示す図である。
【図１０】借り入れ希望金額の入力画面を示す図である。
【図１１】中央交信中を表す画面を示す図である。
【図１２】携帯電話の回収を促す画面を示す図である。
【図１３】取引取り消しを表す画面を示す図である。
【図１４】置き台上に載置された携帯電話を説明する図である。
【図１５】置き忘れ検知センサにより携帯電話の置き忘れを検知する例を説明する図である。
【図１６】暗証番号入力画面を示す図である。
【図１７】借入金額の入力画面を示す図である。
【図１８】中央交信中を表す画面を示す図である。
【図１９】警告表示画面を示す図である。
【図２０】非接触ＩＣリーダと置き忘れ検知センサとの両者により、携帯電話の置き忘れを検知する例を説明する図である。
【図２１】非接触ＩＣリーダと置き忘れ検知センサとの両者により、携帯電話の置き忘れを検知する例を説明する図である。
【図２２】紙幣入出金機構の紙幣入出金口を説明する図である。
【図２３】シャッタ制御部の制御回路を説明する図である。
【図２４】非接触ＩＣリーダを、紙幣入出金口のシャッタに取付けた例を説明する図である。
【図２５】非接触ＩＣリーダを紙幣入出金口のシャッタに取付けた場合における取引処理を説明する図である。
【図２６】紙幣入出金口に携帯電話を落下させて回収する処理を説明する図である。
【図２７】シャッタ制御部の制御回路を説明する図である。
【図２８】出金取引処理を説明する図である。
【図２９】警告表示画面を示す図である。
【図３０】入金案内を表示する画面を示す図である。
【符号の説明】
【００７２】
１０１  自動取引装置（ＡＴＭ）
１０２  表示入力部
１０４  紙幣入出金口
１０５  通帳入出口
１０６  明細表入出口
１０７  顧客センサ
１０８  スピーカ
１０９  非接触ＩＣリーダ
１１０  携帯電話
１２０  利用者
２０４  紙幣入出金機構
２０５  通帳印字機構
２０６  カード取扱機構
２０７  明細票印字機構
２０８  シャッタ制御部
２０９  主制御部
３０１  内蔵アンテナ
３０２  アンテナ
３０３  載置台
１４０２  検知切片
１４０３  置き忘れ検知センサ
２２０１  シャッタ（ふた）
２２０２  シャッタロック
２２０３  シャッタロック解除ソレノイド
２２０４  シャッタモータ
【図１】
2008129795.tif 000003
【図２】
2008129795.tif 000004
【図３】
2008129795.tif 000005
【図４】
2008129795.tif 000006
【図５】
2008129795.tif 000007
【図６】
2008129795.tif 000008
【図７】
2008129795.tif 000009
【図８】
2008129795.tif 000010
【図９】
2008129795.tif 000011
【図１０】
2008129795.tif 000012
【図１１】
2008129795.tif 000013
【図１２】
2008129795.tif 000014
【図１３】
2008129795.tif 000015
【図１４】
2008129795.tif 000016
【図１５】
2008129795.tif 000017
【図１６】
2008129795.tif 000018
【図１７】
2008129795.tif 000019
【図１８】
2008129795.tif 000020
【図１９】
2008129795.tif 000021
【図２０】
2008129795.tif 000022
【図２１】
2008129795.tif 000023
【図２２】
2008129795.tif 000024
【図２３】
2008129795.tif 000025
【図２４】
2008129795.tif 000026
【図２５】
2008129795.tif 000027
【図２６】
2008129795.tif 000028
【図２７】
2008129795.tif 000029
【図２８】
2008129795.tif 000030
【図２９】
2008129795.tif 000031
【図３０】
2008129795.tif 000032
【手続補正書】
【提出日】平成19年6月14日(2007.6.14)
【手続補正１】
【補正対象書類名】明細書
【補正対象項目名】０００６
【補正方法】変更
【補正の内容】
【０００６】
特許文献４には、非接触ＩＣカードに基づく証明書発行を行う証明書発行装置において、前記非接触ＩＣカードから読み取った情報に基づいて証明書を発行した後、カードリーダから前記非接触ＩＣカードへの読取り動作を実行し、前記非接触ＩＣカードが所定位置に存在することを検知したとき、非接触ＩＣカードの取り忘れを警告することが示されている。
【特許文献１】特開２００１−２９７１９８号公報
【特許文献２】特開２００５−１７４０１９号公報
【特許文献３】特開２０００−４８２４５号公報
【特許文献４】特開２００６−１４６５５８号公報